(57)【要約】【課題】表紙体に影響を及ぼすことがなく、ファイルの良好な外観を維持し、保管や出し入れの便も向上させることのできるクリップ及びクリップファイルを提供する。【解決手段】ベース２と、このベース２の対向位置に配置される支持片３と、この支持片３の一側端縁部３ａに連設される押さえ片４とを具備し、ベース２及び押さえ片４の間に形成される挟持部６に書類Ｐを差し込んで保持するものである。そして、挟持部６に被挟持物を差し込んだ際に押さえ片４が受ける反力によって、当該押さえ片４が支持片３及びベース２よりも優先的に弾性変形若しくは弾性変位してベース２との間に書類Ｐの挟持空間を確保するように構成した。【選択図】図１
2005022151.tif 000002
【特許請求の範囲】
【請求項１】
ベースと、このベースの対向位置に配置される支持片と、この支持片の一側端縁部に連設される押さえ片とを具備し、ベース及び押さえ片の間に形成される挟持部に書類等の被挟持物を差し込んで保持するものであって、
前記挟持部に被挟持物を差し込んだ際に押さえ片が受ける反力によって、当該押さえ片が支持片及びベースよりも優先的に弾性変形若しくは弾性変位してベースとの間に被挟持物の挟持空間を確保するように構成していることを特徴とするクリップ。
【請求項２】
支持片の他側端縁部と対応するベースの他側端縁部との間が連結片を介して連結され、ベース、連結片、支持片及び押さえ片が樹脂により一体成形されている請求項１記載のクリップ。
【請求項３】
支持片の一側端縁部から押さえ片の反力作用位置までの距離が、ベースの他側端縁部から押さえ片の反力作用位置までの距離、及び、支持片の他側端縁部から押さえ片の反力作用位置までの距離よりも短くなるように設定されたものである請求項２記載のクリップ。
【請求項４】
押さえ片を支持片、連結片及びベースよりも薄肉なものにしている請求項２又は３記載のクリップ。
【請求項５】
押さえ片を支持片、連結片及びベースよりも軟らかい素材で構成している請求項２、３又は４記載のクリップ。
【請求項６】
クリップを表紙体の内面に配置して構成されるものであって、
前記クリップが、表紙体を構成する表表紙若しくは裏表紙の一方に取り付けられるベースと、このベースの対向位置において表表紙若しくは裏表紙の他方に近接させて配置される支持片と、この支持片の一側端縁部に連設される押さえ片とを具備し、ベース及び押さえ片の間に形成される挟持部に書類等の被挟持物を差し込んで保持するものであり、前記挟持部に被挟持物を差し込んだ際に押さえ片が受ける反力によって、当該押さえ片が支持片及びベースよりも優先的に弾性変形若しくは弾性変位してベースとの間に被挟持物の挟持空間を確保するように構成されていることを特徴とするクリップファイル。
【請求項７】
支持片の他側端縁部と対応するベースの他側端縁部との間が連結片を介して連結され、ベース、連結片、支持片及び押さえ片が樹脂により一体成形されている請求項６記載のクリップファイル。
【請求項８】
支持片の一側端縁部から押さえ片の反力作用位置までの距離が、ベースの他側端縁部から押さえ片の反力作用位置までの距離、及び支持片の他側端縁部から押さえ片の反力作用位置までの距離よりも短くなるように設定されたものである請求項７記載のクリップファイル。
【請求項９】
押さえ片を支持片、連結片及びベースよりも薄肉なものにしている請求項７又は８記載のクリップファイル。
【請求項１０】
押さえ片を支持片、連結片及びベースよりも軟らかい素材で構成している請求項７、８又は９記載のクリップファイル。
【発明の詳細な説明】
【０００１】
【発明の属する技術分野】
本発明は、表紙体の背幅寸法に変化が生じ難いように工夫したクリップ及びクリップファイルに関するものである。
【０００２】
【従来の技術】
従来より、書類等を挟んで保持するものとして、クリップや、このクリップを表紙体に備えたクリップファイルが種々開発されている。そのクリップ構造は、例えば特許文献１に示されるように、ベースと、このベースの対向位置に配置される支持片と、この支持片の一側端縁部に連設される押さえ片と、支持片の他側端縁部と対応するベースの他側端縁部との間を連結する連結片とを具備し、ベース及び押さえ片の間に形成される挟持部に書類等を差し込んで保持するように構成されているのが一般的である。
【０００３】
そして、この種のクリップは、全体が樹脂により一体成形されており、挟持部に被挟持物を差し込んだ際に押さえ片が受ける反力によって、当該押さえ片が支持片もろとも反発力を蓄積しつつ弾性変形若しくは弾性変位して、ベースとの間に被挟持物の挟持空間を確保するようにしている。
【０００４】
【特許文献１】
特開２００２−１２０４８０公報（第１図）
【０００５】
【発明が解決しようとする課題】
ところが、反発力は、押さえ片を弾性変形或いは弾性変位させるだけでなく、支持片と連結片とのなす角度が開く方向へ当該支持片の弾性変位を惹起し、或いはベースと支持片とのなす角度が開く方向へ当該ベースの弾性変位を惹起する。このため、このクリップを内設したクリップファイルは、書類等を挿入することによって、通常ベースが取り付けられる裏表紙と支持片が近接配置される表表紙との間が開き、結果的に背幅寸法が変化する現象が生じて、外観の低下や、保管時における嵩張りに起因した収納効率の低下、棚等に対する出し入れ時における操作性の低下、表紙体の破損等を引き起こす原因になるという問題がある。
【０００６】
特に、この種のクリップは、書類等の呑み込み量や適切な押さえ位置の関係を考慮して、支持片の一側端縁部から押さえ片の反力作用位置までの距離が、ベースの他側端縁部から押さえ片の反力作用位置までの距離、及び、支持片の他側端縁部から押さえ片の反力作用位置までの距離よりも短くなるように設定されているのが通例である。このため、モーメントの関係から、押さえ片の弾性変形、弾性変位よりも支持片やベースの弾性変形、弾性変位の方が先に惹起され、背幅寸法に影響が出易い特性を有しているものである。
【０００７】
そこで本発明は、以上のような問題点に鑑みて、表紙体に極力影響を及ぼすことがなく、ファイルの良好な外観を維持し、保管や出し入れの便も向上させることのできるクリップ及びクリップファイルを提供することを目的としている。
【０００８】
【課題を解決するための手段】
本発明は、かかる目的を達成するために、次のような手段を講じたものである。
【０００９】
すなわち、本発明に係るクリップは、ベースと、このベースの対向位置に配置される支持片と、この支持片の一側端縁部に連設される押さえ片とを具備し、ベース及び押さえ片の間に形成される挟持部に書類等の被挟持物を差し込んで保持するものである。そして、前記挟持部に被挟持物を差し込んだ際に押さえ片が受ける反力によって、当該押さえ片が支持片及びベースよりも優先的に弾性変形若しくは弾性変位してベースとの間に被挟持物の挟持空間を確保するように構成していることを特徴とする。
【００１０】
このように構成すれば、押さえ片が受ける反力が支持片に伝わる前に、当該押さえ片が支持片及びベースよりも優先的に弾性変位若しくは弾性変形して反力を吸収することとなる。このように、支持片とベースとに内包された押さえ片が変形等するだけで、支持片とベースとのなす角度が開くことを有効に防止することができる。したがって、このクリップを使用してクリップファイルを構成すれば、当該クリップファイルの背幅寸法の変化を極力惹起しないようにして、外観の低下、保管時における嵩張りに起因した収納効率の低下、棚等に対する出し入れ時における操作性の低下、或いは表紙体の破損等の問題を好適に解消することが可能となる。さらに、平積みした際にも崩れ落ちることがなくなり保管状態もよくなる。
【００１１】
具体的な実施の態様としては、支持片の他側端縁部と対応するベースの他側端縁部との間が連結片を介して連結され、ベース、連結片、支持片及び押さえ片が樹脂により一体成形されているものが挙げられる。
【００１２】
本発明は、特に、支持片の一側端縁部から押さえ片の反力作用位置までの距離が、ベースの他側端縁部から押さえ片の反力作用位置までの距離、及び、支持片の他側端縁部から押さえ片の反力作用位置までの距離よりも短くなるように設定されているがゆえに背幅寸法が変化し易いものに適用して有用である。
【００１３】
押さえ片を、弾性変位若しくは弾性変形し易いものにするためには、当該押さえ片を支持片、連結片及びベースよりも薄肉なもので形成し、或いは当該押さえ片を、支持片、連結片及びベースよりも軟らかい素材で構成しておくことが望ましい。
【００１４】
【発明の実施の形態】
以下、本発明一実施形態を、図面を参照して説明する。
【００１５】
図１に示すように、この実施形態に係るクリップファイルＦは、中間に背表紙１１を介して連なる表表紙１２及び裏表紙１３を備えた表紙体１と、裏表紙１３の内面１３ａに装着されたクリップＣとから構成したものである。
【００１６】
図２に示すように、クリップＣは、ベース２と支持片３とを対向配置して、適宜部位を連結片５を介して連結したもので、全体が合成樹脂にて一体成型されている。
【００１７】
ベース２は、平面視長方形状をなすもので、前記クリップファイルＦの裏表紙１３の上下寸法と略同一の長手寸法を有するとともに、支持片３の一側端縁部３ａよりもベース２の一側端縁部２ａを延伸させて、幅寸法を支持片３のそれよりも大きくとっている。そして、支持片３に対応するベース本体２ｂと、前記ベース本体２ｂの一端側に連続して延伸する延伸部２ｃとから構成している。
【００１８】
ベース本体２ｂには、幅方向の中央付近より前記延伸部２ｃ側に変位させて、前記幅寸法の約３分の１の領域に亘り、長手方向全域に亘って複数の係止部２ｂ１を上面２ｂ２に設けている。この係止部２ｂ１は、先端部２ｂ１１の角度が鋭角をなす側面視鋸歯状をなすもので、歯丈寸法の約半分の長さを前記ベース本体２ｂの上面２ｂ２から突出させたものである。
【００１９】
支持片３は、前記ベース２と同一の長手寸法を有し、幅寸法が前述したとおりベース２に比して幅狭な平面視長方形状をなすものである。そして、一側端縁部３ａから支持片３及びベース２の対向隙間に向けて弾性変形可能な押さえ片４を連設している。
【００２０】
押さえ片４は、ベース２、支持片３及び連結片５よりも薄肉なもので、斜め下方に湾曲しながら最下点に至り、引き続き最下点から斜め上方に湾曲して、先端を支持片３の幅方向略中央付近に位置づけているもので、全体が下方に向かって凸となる膨出形状をなし、最下点付近においてベース２に弾接している。すなわち、先端をベース２に突き刺すように弾接させるのではなく、部分円弧状に膨出したその腹の部位においてベース２に弾接しているものである。支持片３の一側端縁部３ａから押さえ片４の反力作用位置（書類を挟まない状態において前記弾接位置）４ｘまでの距離Ｄ１は、ベース２の他側端縁部２ｄから押さえ片４の反力作用位置４ｘまでの距離Ｄ３、及び、支持片３の他側端縁部３ｂから押さえ片４の反力作用位置４ｘまでの距離Ｄ２よりも短く設定されている。また、この反力作用位置４ｘを含む当該押さえ片４の下端縁部４ａには、エラストマー樹脂にて長手方向全域に亘り受圧部４ｂが形成されている。なお、支持片３と押さえ片４の間は樹脂ヒンジのような折れ曲がり可能な部位を介して連続しているわけではなく、全体が一体的に連続している。
【００２１】
連結片５は、ベース２の他端側縁部２ｄと支持片３の他端側縁部３ｂとの間を長手方向全域に亘って連結する位置に設けられた板状のものである。
【００２２】
このクリップＣは、全体が樹脂により一体成形されるものであるが、冷却成形によって支持片３の一側端縁部３ａをベース２側に近接させ、これにより押さえ片４の下端縁部４ａに形成された受圧部４ｂを前記係止部２ｂ１の先端部２ｂ１１に弾接した状態を実現している。本実施形態において、受圧部４ｂ以外の部位（押さえ片４、支持片３及びベース２）は、エラストマー樹脂からなる受圧部４ｂに比べて相対的に硬質の樹脂から構成されており、これら受圧部４ｂと、受圧部４ｂ以外の部位とは二色成形されている。
【００２３】
図４（ａ）、（ｂ）は本実施形態の作用を説明するためのものであって、図４（ａ）は図２におけるＩ部の拡大図、図４（ｂ）は図３におけるＩＩ部の拡大図である。このように構成されたクリップＣには、前記ベース２と押さえ片４との間に書類を挟んで保持する狭持部６が形成され、この狭持部６は、具体的には前記係止部２ｂ１と、前記受圧部４ｂとの間に存する。書類Ｐを挿入する前の状態の狭持部６を初期状態Ｘとし、挿入された書類Ｐを保持する狭持部６の状態を保持状態Ｙとする。この挟持部６に書類Ｐを挿入していない状態では、係止部２ｂ１の先端部２ｂ１１は受圧部４ｂに食い込むように密着している。この狭持部６に書類Ｐを挿入する際には、延伸部２ｃの上面２ｃ１をガイド面２ｃ２とし、このガイド面２ｃ２に沿って挿脱方向Ｚに書類Ｐをスライドさせ、必要に応じて挟持部６を指等により若干押し開く操作を加えながら、当該挟持部６に挿入する。そして、書類Ｐを挿入した際の狭持部６は、支持片３の他側端縁部３ｂを支点に前記押さえ片４のみが反発力を蓄積しながら上方へ弾性変位する。この際の押さえ片４は、膨出させて部分円弧状にて形成されているため、先端４ｃを始めとして全体がベース２から離反する方向に変位し、下端縁部４ａに形成された受圧部４ｂに書類Ｐを介して係止部２ｂ１の先端部２ｂ１１が食い込む方向に作用する。反発力は押さえ片４と支持片３との境界部近傍に蓄積されるほか、受圧部４ｂから前記境界部に亘る部位にも蓄積される。この結果、書類Ｐが先端部２ｂ１１に沿って変形した受圧部４ｂとの間に狭持されることとなる。以上により、狭持部６が、抜け落ちることのないように書類Ｐを保持し、保持状態Ｙが得られる。また、挿入された書類Ｐを引き抜く際には、書類Ｐを手で把持し挿脱方向Ｚに移動させて引き抜くことができる。この際の押さえ片４は、当該支持片３の他側端縁部３ｂを支点に全体が下方へ移動し、初期状態Ｘまで弾性復帰する。以上の動作を通じて、本実施形態のものは、狭持部６において書類Ｐの挿脱移動を繰り返し行うことが可能となる。
【００２４】
以上のように、本実施形態のクリップＣは、ベース２と、このベース２の対向位置に配置される支持片３と、この支持片３の一側端縁部３ａに連設される押さえ片４とを具備し、ベース２及び押さえ片４の間に形成される挟持部６に書類Ｐを差し込んで保持するものである。そして、前記挟持部６に書類Ｐを差し込んだ際に押さえ片４が受ける反力によって、当該押さえ片４が支持片３及びベース２よりも優先的に弾性変形若しくは弾性変位してベース２との間に書類Ｐの挟持空間６ｓを確保するようにしている。
【００２５】
このように構成すれば、押さえ片４が受ける反力が支持片３に伝わる前に、当該押さえ片４が支持片３及びベース２よりも優先的に弾性変位若しくは弾性変形して反力を吸収することとなる。このように、支持片３とベース２とに内包された押さえ片４が変形等するだけで、支持片３とベース２とのなす角度が開くことを有効に防止することができる。したがって、このクリップＣを使用して構成されるクリップファイルＦは、背幅寸法に殆ど変化を生ずることがなく、外観の低下、保管時における嵩張りに起因した収納効率の低下、棚等に対する出し入れ時における操作性の低下、或いは表紙体の破損等の問題を好適に解消することが可能となる。さらに、平積みした際にも崩れ落ちることがないため、良好な保管状態も得ることが可能となる。
【００２６】
具体的には、本実施形態のクリップＣは、支持片３の他側端縁部３ｂと対応するベース２の他側端縁部２ｄとの間を連結片５を介して連結した構造をなし、ベース２、連結片５、支持片３及び押さえ片４を樹脂により一体成形したものであるにもかかわらず、上記構成によって連結片５と支持片３とのなす角度、及び連結片５とベース２とのなす角度が一定に保たれることとなる。
【００２７】
とりわけ、図示クリップＣは、書類Ｐの十分な呑み込み量や適切な押さえ位置を確保するために、支持片３の一側端縁部３ａから押さえ片４の反力作用位置４ｘまでの距離Ｄ１が、ベース２の他側端縁部２ｄから押さえ片４の反力作用位置４ｘまでの距離Ｄ３、及び、支持片３の他側端縁部３ｂから押さえ片４の反力作用位置４ｘまでの距離Ｄ２よりも短くなるように設定してあり、押さえ片４、支持片３及びベース２が仮に略同一肉厚であればトルクアームの関係で押さえ片４が最も変形した状態にある。しかしながら、この実施形態では、押さえ片４を支持片３及びベース２に比して薄肉なものにしているので、この押さえ片４の優先的な弾性変形等を有効に惹起させることができる。
【００２８】
なお、本発明は上述した実施形態に限られるものではない。
【００２９】
例えば、上記実施形態では、押さえ片４をベース２、支持片３、連結片５よりも薄肉なものにしているが、押さえ片４全体を、或いは押さえ片４と支持片３との境界部分をより軟質な樹脂等で構成しても、上記に準じた作用効果を奏することができる。
【００３０】
その他、各部の具体的構成についても上記実施形態に限られるものではなく、本発明の趣旨を逸脱しない範囲で種々変形が可能である。
【００３１】
【発明の効果】
以上説明したように、本発明によれば、表紙体に極力影響を及ぼすことがなく、ファイルの良好な外観を維持し、保管や出し入れの便も向上させることのできるクリップ及びクリップファイルを提供することが可能となる。
【図面の簡単な説明】
【図１】本発明の一実施形態に係るクリップを適用したクリップファイルの一部を示す斜視図。
【図２】同クリップの初期状態を示す側面図。
【図３】同クリップの保持状態を示す側面図。
【図４】同実施形態の作用説明図。
【符号の説明】
１・・・表紙体
２・・・ベース
２ｄ・・・他側端縁部
３・・・支持片
３ａ・・・一側端縁部
３ｂ・・・他側端縁部
４・・・押さえ片
４ｘ・・・反力作用位置
５・・・連結片
６・・・狭持部
６ａ・・・狭持空間
１２・・・表表紙
１３・・・裏表紙
１３ａ・・・内面
Ｃ・・・クリップ
Ｆ・・・クリップファイル
Ｐ・・・書類
【図１】
2005022151.tif 000003
【図２】
2005022151.tif 000004
【図３】
2005022151.tif 000005
【図４】
2005022151.tif 000006